(57)【要約】      （修正有）【課題】接着テープはリモコンが壁から落ちないように接着力を強くしているため、接着面が広いと、メンテナンスや故障等でリモコンを取り外すときに、無理矢理はがそうとして、リモコンの背面ケースが割れたり、壁の表面がはがれてしまう等で、はぎ取りづらいという問題があった。【解決手段】接着テープと保護紙の上端は最も横幅が広く、下端は最も横幅が狭くなるようにし、接着面が狭く、比較的接着力が弱い下側から接着テープをはがしていくことで、容易にリモコンを取り外すことができる。【選択図】図５
2018117184.tif 000002
【特許請求の範囲】
【請求項１】
リモコンの背面ケースに備えた接着面を持つ接着テープと、施工時まで前記接着テープの接着面を覆って非接着面とする保護紙とを有した住宅設備機器のリモコンにおいて、前記接着テープと前記保護紙の上端は最も横幅が広く、下端は最も横幅が狭くなるようにしたことを特徴とする住宅設備機器のリモコン。
【請求項２】
前記接着テープと前記保護紙は、左端と右端の中心線と、前記下端とが直交する位置に頂点を持ち、上端の辺を下辺とする逆二等辺三角形状としたことを特徴とする請求項１記載の住宅設備機器のリモコン。
【発明の詳細な説明】
【技術分野】
【０００１】
本発明は、給湯機等を制御する住宅設備機器のリモコンに関するものである。
【背景技術】
【０００２】
従来より、この種の住宅設備機器のリモコンは、給湯機等の住宅設備機器本体とケーブルで通信可能に接続されており、浴室内の浴室リモコンは浴室の壁に固定されていた。
【０００３】
浴室リモコンは、壁と浴室リモコンを接着するため、四角形状の、両面に接着面が設けられた多孔質パッキンより成る接着テープで浴室の壁に接着されていた（特許文献１）。
【先行技術文献】
【特許文献】
【０００４】
【特許文献１】特開２００３−３２９３００号公報
【発明の概要】
【発明が解決しようとする課題】
【０００５】
しかし、接着テープはリモコンが壁から落ちないように接着力を強くしているため、メンテナンスや故障等でリモコンを取り外すときに、無理矢理はがそうとして、リモコンの背面ケースが割れたり、壁の表面がはがれてしまう等で、はぎ取りづらいという問題があった。
【課題を解決するための手段】
【０００６】
本発明は上記課題を解決するため、リモコンの背面ケースに備えた接着面を持つ接着テープと、施工時まで前記接着テープの接着面を覆って非接着面とする保護紙とを有した住宅設備機器のリモコンにおいて、前記接着テープと前記保護紙の上端は最も横幅が広く、下端は最も横幅が狭くなるようにした。
【０００７】
また、前記接着テープと前記保護紙は、左端と右端の中心線と、前記下端とが直交する位置に頂点を持ち、上端の辺を下辺とする逆二等辺三角形状とした。
【発明の効果】
【０００８】
このように本発明によれば、前記接着テープと前記保護紙の上側を最も横幅を広くし、接着面を広くすることで、重力の影響によるリモコン上部がはがれて起こる自然落下を防止し、下側を最も横幅を狭くし、接着面を狭くすることで、メンテナンス時に接着テープをはがすとき、下側からはがすことで容易にはがすことができ、リモコン及び壁の表面の破損防止を行うことができる。
【図面の簡単な説明】
【０００９】
【図１】この発明の第１の実施例の概略説明図
【図２】この発明の浴室リモコンの分解斜視図
【図３】この発明の保護紙をつけた場合の背面ケースの後面図
【図４】この発明の保護紙をつけていない場合の背面ケースの後面図
【図５】この発明の初回施工時の浴室リモコンを壁に固定した時の上面断面図
【図６】この発明の初回施工時の浴室リモコンを壁に固定した時の側面断面図
【図７】重力の影響による自然落下の状態図
【発明を実施するための形態】
【００１０】
本発明の住宅設備機器のリモコンの第１実施例を図１に基づいて説明する。
１は給湯機本体等の住宅設備機器、２は屋内の浴室、３は浴室２内に設けられた住宅設備機器の浴室リモコン、４は住宅設備機器の制御装置、５は制御装置４と浴室リモコン３を通信可能に接続する通信ケーブル、６は住宅設備機器１と浴室２内の浴槽とをつなぐ浴槽配管である。
【００１１】
次に浴室リモコン３の詳しい説明を図２に基づいて説明する。
７は浴室リモコン３の前面を覆う化粧板である前面ケース、８は浴室リモコン３の背面を覆う背面ケース、９はクリアのプラスチックからなる中仕切板、１０は発光表示体やスイッチ類やその他電子素子が取り付けられるプリント基板、中仕切板９及びプリント基板１０及び背面ケース８を組み合わせたものはリモコン本体Ａであり、中仕切板９と背面ケース８で密閉して、内部にあるプリント基板１０に水が付着するのを防いでいる。
【００１２】
前面ケース７には、設定温度や湯張り状況などを表示する表示部１１と、設定温度の変更及び各種操作を行う操作部１２とを有しており、使用者が表示部１１の内容を確認し、操作部１２で操作することができる。
【００１３】
次に背面ケース８について図３、図４に基づいて説明する。
背面ケース８の略中央に引き出し穴１３が開口されており、プリント基板１０のリモコン引き出し線１４を引き出し穴１３から通し、リモコン引き出し線１４と通信ケーブル５とを接続して、浴室リモコン３は操作部１２で操作した内容を制御装置４に送信している。
【００１４】
また、背面ケース８には非接着面の保護紙１５をはがすことで接着できるポリエチレンフォームの基材にアクリル系の接着材を塗布したものである接着テープ１６が備えられている。この接着テープ１６は湿度の高い環境で使用するため強接着性のものが用いられると共に、両面に接着材が塗布されているので、接着テープ１６を介して浴室２の壁と浴室リモコン３を取り付けることができる。
【００１５】
１７は浴室２の壁に浴室リモコン３を固定するための背面ケース７の左右両端に設けた取り付けネジ穴、１８はリモコン本体Ａと浴室２の壁とを取り付けネジ穴１７を介して固定する取り付けネジである。また、図６の１９は浴室リモコン３の縁と壁との隙間に充填したコーキングである。
【００１６】
また、図４、図５のように、保護紙１５及び接着テープ１６は、左端と右端の中心線と、下端とが直交する位置に頂点を持ち、上端の辺を下辺とする逆二等辺三角形状になっており、上側は接着面が広いので接着力は強く、下側は接着面が狭いので比較的接着力は弱くなっていると共に、少なくとも浴室リモコン本体Ａを接着させた時にずり落ちないように仮止めできる所定の面積の接着面をもつように構成されている。
【００１７】
次に、浴室２の壁に浴室リモコン３を固定する初回施工時の固定方法を図５、図６で詳しく説明する。
まず、接着テープ部１６の保護紙１５をはがし、背面ケース８を浴室２の壁に接着し仮止めを行い、中仕切板９を取り付け、取り付けねじ穴１７を介して取り付けネジ１８でリモコン本体Ａと浴室の壁とを固定する。
【００１８】
このとき、接着テープ１６は、接着面の広い方が上側を向くようにリモコン本体Aを取り付ける。
【００１９】
そして、図５、図６のように、コーキング１９を浴室リモコン３の縁と壁の隙間に充填し、前面ケース７をはめ込むことで、浴室リモコン３を浴室２の壁に初回時の施工をしている。
【００２０】
このように、接着テープ１６は、横幅が広く接着面の広い方が上側を向くようにリモコン本体Aを取り付けることで、重力からくる力に対して、高い接着力を保持することができる。
【００２１】
よって、図７のように、リモコン本体Aの壁面への取り付け時最初期における接着剤の硬化までの間や、経年劣化により接着力が低下してきた際などで重力の影響を受けてリモコン本体A及び前面ケース７が前倒しにはがれてしまうのを防ぎ、一番接着力が必要な上側部分には、一番接着面が広い場所を有したことで、効率の良い落下防止を行うことができる。
【００２２】
また、故障やメンテナンスの時に浴室リモコン３を取り外す場合は、前面ケース７とコーキング１９を取り外し、取り付けネジ１８を抜いて、接着テープ部１６をはがすことで容易に浴室リモコン３を取り外す。
【００２３】
このように、接着テープ１６を上端と下端の横幅が等しい長方形の時よりも、接着テープ１６の下端の横幅を狭くすることで、接着テープ１６の下側は比較的接着力が弱くなっており、一番接着テープ１６の横幅が狭く、一番粘着力の弱い下側からはがしていくことで、背面ケース８が割れたり、壁の表面がはがれてしまう等の危険がなく、簡単にはがすことができる。
【００２４】
また、接着テープ１６及び保護紙１５は逆二等辺三角形であるため、従来の長方形にしたときよりも取り数が増え、コスト削減ができる。
【００２５】
なお、本発明は実施形態に限定されるものではなく、要旨を変更しない範囲で改変することを妨げるものではなく、例えば、本発明では、接着テープ１６と保護紙１５は逆二等辺三角形状としているが、接着テープ１６の上端から下端にかけて段階的に狭くなっていくものでも良い。
【００２６】
このように、接着テープ１６の上端から下端にかけて段階的に狭くなっていくものであれば、強い粘着力が必要な上側の接着面積を広くして落下防止し、メンテナンス等でリモコン本体Aを外すときは下側の粘着力の弱い部分から除々にはがしていくことでリモコン本体A及び浴室の壁の表面の破損防止を行う事ができる。
【００２７】
また、本発明は浴室リモコン３で説明したが、接着テープ１６を取り付けるようなリモコンであれば良く、例えば台所リモコンでも使用することができる。
【符号の説明】
【００２８】
１      住宅設備機器
２      浴室
３      浴室リモコン
４      制御装置
７      前面ケース
８      背面ケース
９      中仕切板
１０    プリント基板
Ａ      リモコン本体
１５    保護紙
１６    接着テープ
１９    コーキング
【図１】
2018117184.tif 000003
【図２】
2018117184.tif 000004
【図３】
2018117184.tif 000005
【図４】
2018117184.tif 000006
【図５】
2018117184.tif 000007
【図６】
2018117184.tif 000008
【図７】
2018117184.tif 000009